(57)【要約】【課題】患者の状態に応じて適切に見守る医療業務支援装置、医療業務支援方法及び医療業務支援システムを提供する。【解決手段】  医療業務支援装置２０は、患者１０に装着されて患者１０の心電図データを計測する心電図センサ４０及び計測した心電図データを解析する解析部４５と、患者１０の動きを検出する加速度センサ５０と、解析部４５の解析結果により患者１０がレム睡眠状態であると判定され、かつ、加速度センサ５０の検出結果により患者１０が所定状態に動いたと判定されたときに、注意喚起情報及び患者１０を特定する患者識別情報を外部に向けて発信する注意喚起部６０とを備える。【選択図】図１
2018198009.tif 000002
【特許請求の範囲】
【請求項１】
患者に装着されて前記患者の生体情報を計測する少なくとも一つのセンサを有する計測部と、
前記生体情報を解析する解析部と、
前記患者の動きを検出する検出部と、
前記解析部の解析結果により前記患者がレム睡眠状態であると判定され、かつ、前記検出部の検出結果により前記患者が所定状態に動いたと判定されたときに、注意喚起情報及び前記患者を特定する患者識別情報を外部に向けて発信する注意喚起部と、を備える医療業務支援装置。
【請求項２】
前記センサは、心電図センサ、経皮的動脈血酸素飽和度センサ、呼吸センサ、体温センサの少なくとも一つ以上である請求項１に記載の医療業務支援装置。
【請求項３】
前記患者識別情報は、前記計測部または前記注意喚起部の少なくともいずれか一方に保持される請求項１から請求項２のいずれか一項に記載の医療業務支援装置。
【請求項４】
前記注意喚起部と通信可能であり、少なくとも前記注意喚起情報を発信する開始時刻を設定可能なタイマーをさらに備える請求項１から請求項３のいずれか一項に記載の医療業務支援装置。
【請求項５】
請求項１から請求項４のいずれか一項に記載の医療業務支援装置と、
前記患者に緊急応対が必要になったことを検知して前記緊急応対の内容を報知する緊急報知部と、を有する医療業務支援システム。
【請求項６】
患者の生体情報を計測する計測ステップと、
前記生体情報を解析する解析ステップと、
前記解析ステップの解析結果により前記患者がレム睡眠状態であるか否かを判定する睡眠状態判定ステップと、
検出部で前記患者の動きを検出する検出ステップと、
前記検出部で検出した前記患者の動きが所定状態に動いたか否かを判定する動き判定ステップと、
前記患者がレム睡眠状態であると判定され、かつ、前記所定状態に動いたと判定したときに、注意喚起情報及び前記患者を特定する患者識別情報を外部に発信する注意喚起情報通知ステップと、
を備える医療業務支援方法。
【発明の詳細な説明】
【技術分野】
【０００１】
本開示は、医療業務支援装置、医療業務支援システム及び医療業務支援方法に関する。
【背景技術】
【０００２】
患者がいる病院では、緊急応対が必要な患者を医療従事者に通知するシステムとして、ナースコールやアラームを報知する医療機器を用いた院内報知システムが用いられている（特許文献１）。
【先行技術文献】
【特許文献】
【０００３】
【特許文献１】特開２０１３−２０８２５３号公報
【発明の概要】
【発明が解決しようとする課題】
【０００４】
しかし、例えばレム睡眠状態でベッドから転落する可能性がある状態の患者は、緊急応対は不要であるが、注意して見守るべき状態である。
【０００５】
このようなベッドから転落する可能性がある状態の患者を見守るために、患者の睡眠状態がレム睡眠なのかノンレム睡眠なのかを特定して、睡眠状態に合わせた見守りを行うことが有効である。ここで、睡眠状態の特定は、多チャンネルの電極を用いる脳波計やノイズを下げるペーストを用いる脳波計測により判定することができる。
【０００６】
しかし、このような多チャンネルの電極を用いる脳波計やノイズを下げるペーストを用いる脳波計は、患者にとって負担が大きく、計測を行う医療従事者にとっても計測の負担が大きい。
【０００７】
そこで、本開示は、注意するべき患者を簡易に判定して医療従事者に通知する医療業務支援装置、医療業務支援システム及び医療業務支援方法を提供することを目的とする。
【課題を解決するための手段】
【０００８】
本開示に係る医療業務支援装置は、患者に装着されて前記患者の生体情報を計測する少なくとも一つのセンサを有する計測部と、前記生体情報を解析する解析部と、前記患者の動きを検出する検出部と、前記解析部の解析結果により前記患者がレム睡眠状態であると判定され、かつ、前記検出部の検出結果により前記患者が所定状態に動いたと判定されたときに、注意喚起情報及び前記患者を特定する患者識別情報を外部に向けて発信する注意喚起部と、を備える。
【０００９】
上記構成によれば、患者がレム睡眠状態でかつ所定状態に動いていることに基づいて、注意するべき患者を簡易に判定して、注意喚起部が注意喚起情報を発信するので、医療従事者は、多数の患者の中から注意するべき患者を特定することができる。
【００１０】
また、本開示に係る医療業務支援システムは、前記医療業務支援装置と、前記患者に緊急応対が必要になったことを検知して前記緊急応対の内容を報知する緊急報知部と、を有する。
【００１１】
上記構成によれば、患者がレム睡眠状態でかつ所定状態に動いていることに基づいて、注意するべき患者を簡易に判定して、注意喚起部が注意喚起情報を発信するので、医療従事者は、多数の患者の中から注意するべき患者を特定することができる。この注意するべき患者の特定とは別に、患者に緊急応対が必要なときは緊急報知部の報知に応じて患者を確実に看護することができる。すなわち、患者の状態に応じて適切な応対を行うことができる。
【００１２】
また、本開示に係る医療業務支援方法は、患者の生体情報を計測する計測ステップと、前記生体情報を解析する解析ステップと、前記解析ステップの解析結果により前記患者がレム睡眠状態であるか否かを判定する睡眠状態判定ステップと、検出部で前記患者の動きを検出する検出ステップと、前記検出部で検出した前記患者の動きが所定状態に動いたか否かを判定する動き判定ステップと、前記患者がレム睡眠状態であると判定され、かつ、前記所定状態に動いたと判定したときに、注意喚起情報及び前記患者を特定する患者識別情報を外部に発信する注意喚起情報通知ステップと、を備える。
【００１３】
上記方法によれば、患者がレム睡眠状態であると判定され、かつ、所定状態に動いたと判定されたときに、この判定に基づいて注意するべき患者を簡易に判定して、注意喚起情報を発信するので、医療従事者は、多数の患者の中から注意するべき患者を特定することができる。
【発明の効果】
【００１４】
本開示によれば、注意するべき患者を簡易に判定して医療従事者に通知することができる。
【図面の簡単な説明】
【００１５】
【図１】本開示の実施形態に係る医療業務支援装置及び医療業務威支援システムの概要を示す説明図である。
【図２】本開示の実施形態に係る医療業務支援装置の概要を示す機能ブロック図である。
【図３】本開示の実施形態に係る医療業務支援装置及び医療業務支援方法の動作例を示すフローチャートである。
【図４】医療業務支援装置の変形例の概要を示す機能ブロック図である。
【発明を実施するための形態】
【００１６】
以下、本開示に係る医療業務支援装置、医療業務支援システム及び医療業務支援方法の実施の形態の例を、図面を参照して説明する。本開示は、多チャンネルの電極による脳波計やノイズを下げるペーストによる脳波計を用いることなく、患者の睡眠状態がレム睡眠状態なのかノンレム睡眠状態なのかを簡易に判定し、かつ、患者が所定状態に動いたか等の動作を判定することにより、患者の状態に応じて適切に見守る医療業務支援装置及び医療業務支援方法と、この医療業務支援装置を含む医療業務支援システムである。
【００１７】
＜第1実施形態＞
図１に示すように、本実施形態に係る医療業務支援システム１は、注意するべき患者１０を医療従事者１１に通知する医療業務支援装置２０及び患者１０に緊急応対が必要になったことを報知するナースコール３３等の緊急報知部３０とを含んでいる。
【００１８】
注意するべき患者１０とは、緊急報知部３０による報知のような緊急性は無いが、ベッドからの転落による怪我等を未然に防止するために、医療従事者１１が注意を向ける必要がある患者である。注意するべき患者１０は、例えば、病室のベッドの上から病室の床に転落する可能性がある患者１０等である。
【００１９】
医療業務支援システム１は、表示部７１，７２を有する表示機器７０を含んで構成されている。表示部７１は、医療業務支援装置２０の内容である注意喚起情報を表示するように構成されている。表示部７２は、緊急報知部３０の内容である緊急応対内容を表示するように構成されている。また、医療業務支援システム１において、各医療従事者１１が携帯する端末機器１１Ａ、医療業務支援装置２０、緊急報知部３０、表示機器７０は、通信に関する機器の一例であるアクセスポイント８０を介して、相互に通信可能に構成されている。
【００２０】
＜医療業務支援装置２０＞
医療業務支援装置２０は、各患者１０に各々設置される装置であり、計測部と解析部と検出部と注意喚起部とを含んでいる。一般に、レム睡眠状態は浅い眠りであり、体は眠っているのに、脳が動いている状態であることが知られている。また、ノンレム睡眠は深い眠りであり、体も脳も休んでいる状態であることが知られている。医療業務支援装置２０は、この睡眠状態（レム睡眠状態、ノンレム睡眠状態）と患者１０の動作に基づいて、注意するべき患者１０を判定する装置である。
【００２１】
図１及び図２に示す医療業務支援装置２０は、心電図センサ４０（計測部の一例）、解析部４５、加速度センサ５０（検出部の一例）、注意喚起部６０とを有している。心電図センサ４０、解析部４５及び加速度センサ５０と注意喚起部６０とは、図２に示す汎用プロトコルに従って通信を行う通信網Lにより相互に通信を行うように構成されている。なお、通信網Lは、有線ＬＡＮ（Ｌｏｃａｌ Ａｒｅａ Ｎｅｔｗｏｒｋ）等の有線通信回線、Ｂｌｕｅｔｏｏｔｈ（登録商標）、ＢＬＥ（Ｂｌｕｅｔｏｏｔｈ Ｌｏｗ Ｅｎｅｒｇｙ）、無線ＬＡＮ（Ｌｏｃａｌ Ａｒｅａ Ｎｅｔｗｏｒｋ）等の無線通信回線のいずれであってもよい。
【００２２】
＜計測部＞
計測部は、患者に装着されて患者の生体情報を計測するセンサである。計測部は、患者１０の生体情報の一例である心電図データを計測する心電図センサ４０とすることができる。図１に、心電図センサ４０の装着の一例として、患者１０の胸部に心電図センサ４０を装着した状態を示している。心電図センサ４０が計測した心電図データは解析部４５に送信される。
【００２３】
＜解析部４５＞
解析部４５は、計測部が計測した生体情報を解析するように構成されている。解析部４５は、心電図センサ４０が計測した心電図データを取得して解析し、患者１０の睡眠状態がレム睡眠状態とノンレム睡眠状態のいずれなのかを判定する構成とされている。解析部４５は、患者１０の睡眠状態がレム睡眠状態とノンレム睡眠状態のいずれなのかを判定した判定結果を、注意喚起部６０に送信するように構成されている。
【００２４】
＜検出部＞
検出部は、患者１０の動きを検出する機器である。一例として、検出部は、Ｘ座標、Ｙ座標、Ｚ座標における患者１０の位置変化を検出し、ＸＹ平面、ＹＺ平面、ＺＸ平面のいずれかにおける患者１０に関する角度変化を検出する３軸加速度センサ５０で構成することができる。加速度センサ５０は、患者１０の位置変化及び角度変化を複数回検出し、複数回の検出結果に基づいて患者１０に動きがあったかどうかを判定することができる。
【００２５】
加速度センサ５０は、検出した患者の位置変化または角度変化に基づいて、患者１０が所定状態に動いたか否かを判定するように構成されている。所定状態に動いたとは、患者１０がベッドから転落等のような危険が迫っているときに検出される動きが有る状態であり、緊急応対が必要な容態急変とは異なるが、患者１０の状態を確認する等の注意が必要な動きである。一例として、患者１０について、ベッドの大きさである幅及び長さと、患者１０の身長や身幅とから、患者１０がベッドから転落する可能性がある動きの変化量を算出し、この変化量を越える動きが加速度センサ５０により検出されることを所定状態に動いたとすることができる。加速度センサ５０は、患者１０が所定状態に動いたか否かの検出結果を、注意喚起部６０に送信するように構成されている。
【００２６】
＜注意喚起部６０＞
注意喚起部６０は、患者の睡眠状態（レム睡眠状態、ノンレム睡眠状態）と、患者が所定状態に動いたか等の動作とに基づいて、各患者が注意するべき患者かどうかを判定し、判定した結果を外部に向けて発信するように構成されている。図２に示す注意喚起部６０は、注意するべき患者１０かどうかを判定する判定部６１と、注意するべき患者１０の注意喚起情報等の情報を医療業務支援装置２０の外部に向けて発信して医療従事者１１に報知する通信部６２と、を含んでいる。
【００２７】
判定部６１は、解析部４５から、患者１０の睡眠状態（レム睡眠状態、ノンレム睡眠状態）の解析結果を逐次取得するように構成されている。また、判定部６１は、加速度センサ５０から、患者１０が所定状態動いたかどうかの検出結果を逐次取得するように構成されている。判定部６１は、解析部４５から取得した解析結果及び加速度センサ５０から取得した検出結果に基づいて、計測対象である患者１０が注意するべき患者かどうかの判定を行うように構成されている。
【００２８】
計測対象の患者１０が注意するべき患者であるかどうかは、少なくとも二段階の判定により決定される。すなわち、判定部６１は、第一段階の判定として患者１０がレム睡眠状態であるかノンレム睡眠状態であるかの睡眠状態を判定し、第二段階の判定として患者１０が所定状態に動いたかどうかの動作の判定を行う。
【００２９】
判定部６１による注意するべき患者１０かどうかの判定結果は、次の４態様となる。
（１）  注意喚起（アラート）が必要
レム睡眠状態で所定状態に動いた患者１０は、ベッドから転落等の可能性がある。このため、判定部６１は、レム睡眠状態で所定状態に動いた患者１０を注意喚起（アラート）が必要な注意するべき患者であって、医療従事者１１に通知するべきと判定する。
（２）  注意が必要
レム睡眠状態であるが、動きが無い患者１０は、すぐにベッドから転落等の動きが発生しない可能性があるため、判定部６１はこの状態を注意するが医療従事者１１に通知は不要な状態と判定する。患者１０に動きも姿勢変動も無いとしても、レム睡眠状態である場合は無意識に体を動かすことが知られており、このレム睡眠状態の患者１０が所定状態に動く可能性はあるため、注意喚起に準ずる注意が必要と判定するものである。
（３）  軽度の注意が必要
患者１０がノンレム睡眠状態であり、かつ、所定状態の動きより小さくても患者１０に動きがある場合、判定部６１は軽度の注意が必要と判定する。所定状態の動きより小さくても患者１０に動きがあるかどうかは、注意喚起が必要な患者１０よりも注意するべき程度は低いが、ベッドからの転落等の可能性がある動きの変化量かどうかで判定することができ、患者１０の病状や環境等に基づいて定めることができる。
（４）  注意喚起、注意、軽度の注意のいずれも不要
ノンレム睡眠状態であり、動きが無い患者１０は、無意識に体を動かすことは少なく、ベッドから転落等の可能性は無いため、判定部６１はこの状態を注意喚起、注意、軽度の注意のいずれも不要な状態と判定する。
【００３０】
さらに、判定部６１は、レム睡眠状態で所定状態に動いた患者１０について注意喚起（アラート）が必要と判定した場合、この患者１０は注意するべき患者であるとの注意喚起情報を作成する構成とされている。
【００３１】
注意喚起情報は、医療従事者１１に注意を喚起する各種の表示及び態様とすることができる。一例として、注意喚起情報は、患者に関する情報であってもよく、「ベッド転落注意」等の注意するべき状態の文字情報であってもよく、「大きな動きを検出」等の検出結果の文字情報であってもよい。また、注意喚起情報は、医療従事者１１に対する指示内容であってもよく、例えば「念のため見回りにきてください」等の文字情報であってもよい。また、注意喚起情報は、文字情報に加えて、医療従事者１１の携帯端末を振動させてもよく、携帯端末の発光部を点滅させて報知してもよい。
【００３２】
また、判定部６１は、注意喚起情報を作成した患者について、この患者を特定する患者識別情報を取得するように構成されている。患者識別情報は、一例として、患者１０に個別に設定された患者ＩＤや、患者１０が使用する入院ベッドの識別番号等である。患者識別情報は、注意喚起部６０が取得できる機器に保持される。患者識別情報は、心電図センサ４０、患者の端末機器１０Ａ、患者１０のベッドに設置されたベッドサイドモニタ１２、緊急報知部３０のいずれかに保持されてもよく、注意喚起部６０の内部に保持されて判定部６１により取得されてもよい。
【００３３】
注意喚起情報（アラート）及び患者識別情報は、注意喚起部６０から医療従事者１１に通知される。注意喚起部６０と医療従事者１１との間の通知は、図２に示す通信部６２から汎用プロトコルに従って通信が行われる通信網L等のネットワークを用いて行われてもよく、図２に示すアクセスポイント８０等の機器を介して行われてもよい。
【００３４】
医療従事者１１が確認可能な機器に送信された注意喚起情報及び患者識別番号は、図１に示す表示機器７０の表示部７１に表示されてもよく、医療従事者１１が携帯する端末機器１１Ａに表示されてもよい。
【００３５】
＜緊急報知部３０＞
医療業務支援システム１の緊急報知部３０は、図１に示すように、患者１０に緊急応対が必要になったことを検知する検知部３１と、検知部３１の検知結果を緊急報知部３０の外部に向けて発信する通信部３２とを有している。
【００３６】
検知部３１は、一例として、患者１０の容態が急変したことを検知する心電図計とすることができる。心電図計３１は、付き添い者が患者１０の容態の急変を知らせるナースコール３３を含んで構成することができる。
【００３７】
通信部３２は、一例として、患者１０のベッドに設置され、Ｂｌｕｅｔｏｏｔｈ（登録商標）を内蔵したナースコール３３を用いて通信することができる。緊急報知部３０の心電図計３１から発せられる緊急応対内容は、表示部７２や医療従事者１１の端末機器１１Ａ等の医療従事者１１が確認可能な機器に受信されるようになっている。この表示部７２の報知は、例えば、表示部７２に「病状が急変」等の文字を表示しても良く、表示部７２のスピーカー（不図示）から報知音を発してもよく、表示機器７０のランプ（不図示）を点灯させてもよい。
【００３８】
なお、緊急報知部３０は、患者１０に緊急応対が必要になったことを検知して緊急応対内容を表示機器に通知するシステムであればよく、従来使用されているナースコール３３等の各種のシステムを用いることができる。
【００３９】
次に、上記構成の医療業務支援方法の動作例１〜動作例２について、図１〜図３を用いて説明する。
【００４０】
＜動作例１＞
動作例１として、医療業務支援装置２０を用いた医療業務支援方法の動作例を説明する。
複数の患者１０に各１台、心電図センサ４０、解析部４５、加速度センサ５０を一体化した機器を装着する。注意喚起部６０は図１に示す心電図センサ４０の近傍の患者１０の胸部に装着する（S1、見守りの開始）。
【００４１】
心電図センサ４０は患者１０の心電図を計測し（S２、計測ステップ）、計測した心電図データを解析部４５に送信する。
【００４２】
解析部４５は、受信した心電図データを解析して、患者１０の睡眠状態を解析する（S３、解析ステップ）。また、解析部４５は、この心電図データの解析結果により、計測対象の患者１０の睡眠状態がレム睡眠であるのかノンレム睡眠であるのかの判定を行う（S４、睡眠状態判定ステップ）。本例で、解析部４５は、患者１０がレム睡眠状態であると判定し（Ｓ４でＹＥＳ）、この判定結果を注意喚起部６０に送信する。注意喚起部６０の判定部６１は、解析部４５から、患者１０がレム睡眠状態であるとの判定結果を取得する。
【００４３】
加速度センサ５０は、患者１０の位置変化及び角度変化を複数回検出する（S５、検出ステップ）。加速度センサ５０は、患者１０の位置変化及び角度変化の検出結果から、患者１０が所定状態に動いたかどうかを判定する（S６、動き判定ステップ）。加速度センサ５０は、この判定結果を注意喚起部６０に送信する。
【００４４】
患者１０が所定状態に動いた場合（S６でYES）、判定部６１は、患者１０が注意するべき患者であり注意喚起が必要であると判定する。判定部６１は、患者１０の注意喚起情報を作成し、注意喚起情報を作成した患者１０を特定する患者識別情報を取得する。判定部６１は、注意喚起情報及び患者識別番号を、表示部７１等の医療従事者１１が確認可能な機器に送信する（S７、注意喚起情報通知ステップ）。医療従事者１１は、表示部７１に表示される注意喚起情報及び患者識別番号を確認することにより、判定部６１の通知内容に応じた応対を採ることが出来、患者１０に適切な処置をすることができる。見守りの終了の操作が行われない場合、患者１０の見守りが継続され（S１２でYES）、見守りを終了するための操作が行われると（S１２でNO）、見守りを終了する（S１３）。
【００４５】
上記構成によれば、レム睡眠状態で、かつ、所定状態に動いている患者１０を注意するべき患者であって注意喚起が必要であると判定し、この患者１０の注意喚起情報及び患者識別番号を外部に発信するので、医療従事者１１は、多数の患者１０の中から、ベッドから転落の可能性がある等の注意するべき患者１０を特定することができる。
【００４６】
また、Ｓ６において、患者１０が所定状態に動いていない場合（S６でNO）、判定部６１は、患者１０には注意喚起（アラート）は不要であるが、注意喚起に準ずる注意が必要であると判定する（Ｓ８）。
【００４７】
上記構成によれば、注意喚起（アラート）は不要であるが、動きが生じる可能性があるレム睡眠状態の患者１０を特定し、この患者１０の睡眠状態及び動きの有無を継続して判定することができ、患者１０を適切に見守ることができる。
【００４８】
また、Ｓ４において、患者１０の睡眠状態がノンレム睡眠であると判定された場合（S４でNO）、加速度センサ５０は患者１０の動きを検出する（S９、検出ステップ）。
【００４９】
判定部６１は、加速度センサ５０から、所定状態の動きより小さくても患者１０に動きがあるかどうかの判定結果を取得する。
【００５０】
判定部６１は、所定状態の動きより小さくても患者１０に動きがある場合（S１０でYES）、患者１０に軽度の注意喚起が必要と判定する（Ｓ１１）。
【００５１】
上記構成によれば、一般的には無意識に体が動かないとされるノンレム睡眠状態の患者１０の中から、動きが大きい患者１０を特定して、ベッドからの落下等が起こらないように適切に見守ることができる。
【００５２】
また、Ｓ１０において患者１０の動きが無い場合、判定部６１は、計測対象の患者１０に対する注意喚起は不要であると判定し（S１０でNO）、睡眠状態の判定（Ｓ４）に戻る。
【００５３】
上記構成によれば、一般的には無意識に体が動かないとされるノンレム睡眠状態で動きの検出が無い場合にも見守りを継続することにより、多数の患者１０の適切な見守りを行うことができる。
【００５４】
以上説明したように、本開示の構成によれば、患者１０がレム睡眠状態であることを簡易な手法で判定することができる。かつ、患者１０の睡眠状態の判定と、患者１０が所定状態に動いているとの動きの判定とを組み合わせて、注意するべき患者を簡易に判定して、注意喚起部６０が注意喚起情報を発信するので、医療従事者１１は、多数の患者１０の中から、ベッドから転落の可能性がある等の注意するべき患者１０を特定することができる。そのため、注意をするべき患者１０に対して適切な応対を行うことができる。また、多数の患者を少数の医療従事者１１で受け持つ夜間において、医療従事者１１の業務負担を減らすことができる。特に、医療従事者１１のサーカディアンリズム（体内時計）が崩れやすくなる明け方は、注意力が低下しやすく、疲れも出やすく、すべての患者１０に目が行き届きにくくなりやすい。上記構成によれば、このような明け方等においてもすべての患者１０に対して適切な応対ができる。更に、注意喚起情報の通知が無い時間においては、医療従事者１１は、注意や緊張の度合いを軽くしながら確実に見守ることができるので、医療従事者１１の業務負担を軽くすることができる。
【００５５】
また、患者識別情報は、計測部または注意喚起部６０の少なくともいずれか一方に保持されるので、注意喚起情報の対象である患者１０を確実に特定することができる。
【００５６】
＜動作例２＞
動作例２として、医療業務支援システム１を用いた医療業務支援方法の動作例を説明する。動作例２において、動作例１と重複する動作は、同一符号を付して説明を省略する。
【００５７】
動作例２において、Ｓ１からＳ１３は動作例１と同様に行われる。このとき、緊急報知部３０は、注意喚起部６０の判定から独立して、患者１０の状態を計測し判定する。心電図計３１は、患者１０に急激な心電図の変化等の緊急応対が必要な変化が生じた場合、この変化を検出して緊急応対が必要であることを判定する。心電図計３１は、緊急応対を要すると判定した判定結果を、通信部３２を介して表示部７２に報知する。医療従事者１１は、表示部７２により心電図計３１から報知された緊急応対が必要であるとの情報を確認して、緊急応対が必要な患者１０の所に直ちに駆けつけることができる。
【００５８】
上記構成によれば、医療業務支援システム１は医療業務支援装置２０及び緊急報知部３０とを含み、患者がレム睡眠状態でかつ所定状態に動いていることに基づいて、注意するべき患者を簡易に判定して、注意喚起情報を発信するので、医療従事者１１は、多数の患者の中から注意するべき患者を特定することができる。この注意するべき患者の特定とは別に、患者に緊急応対が必要なときは緊急報知部３０の報知に応じて患者１０を確実に特定して看護することができる。すなわち、患者１０の状態に応じて適切な応対を行うことができる。このため、少数の医療従事者１１が多数の患者１０を確実かつ適切に見守ることができ、医療従事者１１の業務負担が軽減される。特に、緊急報知部による報知も注意喚起情報の通知も無い時間において、医療従事者１１は注意や緊張の度合いを軽くしながら確実に見守ることができるので、医療従事者１１の業務負担を軽くすることができる。
【００５９】
＜第２実施形態＞
次に、注意喚起情報を発信する時刻、時間帯等の時間を設定可能なタイマー９０を有する医療業務支援装置及び医療業務支援方法について、図１〜図３を用いて説明する。第1実施形態と重複する構成及び動作は、同一符号を付して説明を省略する。
【００６０】
医療業務支援システム１は、少なくとも注意喚起情報を発信する開始時刻を設定可能なタイマー９０を含んで構成されている。注意喚起情報を発信する開始時刻は、例えば、夜勤開始時刻とすることができる。タイマー９０で設定する時刻は注意喚起情報を発信する時刻に限らない。例えば、注意喚起情報の発信を終了する終了時刻を設定可能に構成してもよく、発信開始時刻から５時間等の時間を設定可能に構成してもよく、発信開始時刻及び発信終了時刻を設定可能に構成してもよい。
【００６１】
タイマー９０は注意喚起部６０と通信可能に構成され、タイマー９０の設定内容を注意喚起部６０に送信する構成とされている。タイマー９０と注意喚起部６０との通信は、注意喚起部６０と心電図センサ４０、解析部４５、加速度センサ５０との間と同様に、図２に示す通信網L等の汎用プロトコルに従って通信が行われるネットワークを用いることができる。
【００６２】
タイマー９０は、一例として、図１に示す表示機器７０に内蔵され、注意喚起情報を発信する開始時刻及び終了時刻の設定が可能な構成とされている。表示機器７０には、タイマー９０の設定内容を表示する表示部７３が設けられている。
【００６３】
＜動作例３＞
次に、第２実施形態に対応する動作例として、タイマー９０を含む医療業務支援システム１を用いた医療業務支援方法の動作例３を、図１〜図３を用いて説明する。第1実施形態と重複する構成及び動作は、同一符号を付して説明を省略する。
【００６４】
タイマー９０には、注意喚起情報を発信する開始時刻として夜勤開始時刻が設定され、注意喚起情報の発信を終了する終了時刻として日勤開始時刻が設定されている。
【００６５】
タイマー９０は、注意喚起部６０に、タイマー９０の設定内容である注意喚起情報を発信する開始時刻及び終了時刻を送信する。タイマー９０の設定内容を受信した注意喚起部６０は、注意喚起情報を発信する開始時刻の前は、解析部４５及び加速度センサ５０から情報を受信するが、注意喚起（S７）、注意（S8）、軽度の注意喚起（S１１）の判定を行わず、注意喚起情報の発信（S７）も行わない。この注意喚起情報を発信する開始時刻の前は、緊急報知部３０による緊急応対の通知のみが行われる。なお、タイマー９０注意喚起情報を発信する開始時刻の前は、S７の注意喚起情報の発信のみを行なわず、注意喚起（S７）、注意（S8）、軽度の注意喚起（S11）の判定を行って、これらの判定結果を注意喚起部６０に保持させる構成としてもよい。また、タイマー９０の注意喚起情報を発信する開始時刻の前は、心電図センサ４０による計測及び加速度センサ５０による検出を行わない構成としてもよい。
【００６６】
注意喚起情報の発信を開始する開始時刻になると、注意喚起部６０は、解析部４５から受信する判定結果及び加速度センサ５０から受信する判定結果に基づいて、計測対象の患者１０を注意して見守るべきかどうかの判定を開始し（図３のS４〜S１１）、S７の注意喚起情報の発信を開始する。注意喚起部６０の具体的な動作については、第１実施形態の動作例１〜動作例２と同様であるので、説明を省略する。
【００６７】
注意喚起情報の発信を終了する終了時刻になると、注意喚起部６０は、解析部４５及び加速度センサ５０から情報を受信するが、注意喚起（S７）、注意（S8）、軽度の注意喚起（S１１）の判定を終了し、注意喚起情報の発信（S７）を終了する。タイマー９０で設定した注意喚起情報を発信する終了時刻以降は、緊急報知部３０による緊急応対の通知のみが行われる。
【００６８】
上記構成によれば、注意喚起情報を発信する開始時刻を設定可能なタイマー９０を有するので、夜勤開始時刻等の注意喚起が必要な時刻に合わせて注意喚起情報の発信を開始することができる。このため、医療従事者１１の人数が少ない時間帯であっても、多数の患者１０に対して、患者の状態に応じて確実で適切な応対を行うことができる。また、上記構成によれば、注意喚起情報を発信する終了時刻を設定可能なタイマー９０を有するので、夜勤が終了し日勤が開始して医療従事者１１の人数が増える時間帯に合わせて注意喚起情報の発信を終了することができる。
【００６９】
なお、上記実施形態において、心電図センサ４０、解析部４５、加速度センサ５０を一つの機器に集約して患者１０の胸部に装着し、この機器の近傍の胸部に注意喚起部６０を装着する例示を図１を用いて説明したが、心電図センサ４０、解析部４５、加速度センサ５０、注意喚起部６０の構成は図１に示す構成に限らない。例えば、心電図センサ４０、解析部４５、加速度センサ５０及び注意喚起部６０を個別の機器で構成してもよく、心電図センサ４０、解析部４５、加速度センサ５０及び注意喚起部６０を一つの機器に集約する構成としてもよい。また、心電図センサ４０及び加速度センサ５０を患者１０に装着する構成とし、解析部４５を通信網Ｌを介して接続可能な外部機器に内蔵させ、注意喚起部６０を図１に示すベッドサイドモニタ１２に内蔵させる構成としてもよい。また、心電図センサ４０及び加速度センサ５０を患者１０に装着する構成とし、解析部４５及び注意喚起部６０を図１に示す患者１０の端末機器１０Ａに内蔵させる構成としてもよい。また、解析部４５、注意喚起部６０の少なくとも一つを、図１に示すアクセスポイント８０等の機器に設ける構成としてもよい。
【００７０】
また、計測部は心電図センサに限らない。計測部は、多数の患者１０の中から注意するべき患者１０かどうかを特定するために有用な生体情報を計測可能な各種のセンサとすることができる。計測部として、図２に示す心電図センサ４０に代えて、呼吸数を計測する呼吸センサ、経皮的動脈血酸素飽和度の値を計測する経皮的動脈血酸素飽和度センサ（以下「ＳｐＯ２センサ」という）、皮膚温（体温）を計測する体温センサ等を用いることができる。また、計測部を構成するセンサの数は図２に示した一つに限らず、複数のセンサとすることができる。計測部に含まれる複数のセンサは、上記した心電図センサ４０、呼吸センサ、ＳｐＯ２センサ、体温センサの少なくとも一つ以上とすることができる。
【００７１】
上記構成によれば、患者１０の睡眠状態に関して、心電図センサ、ＳｐＯ２センサ、呼吸センサ、体温センサの少なくとも一つ以上を用いて患者の生体情報を計測するので、多チャンネルの電極を用いる脳波計やノイズを下げるペーストを用いる脳波計測による睡眠状態の判定に比べて、大掛かりな装置を用いずに、簡易な手法で睡眠状態を計測することができ、睡眠状態の判定に関する患者１０の負担を少なくすることができる。さらに、二つ以上のセンサを用いて患者の生体情報を計測する場合は、一つのセンサを用いる場合に比して、より精度よく睡眠状態の判定を行うことができ、注意喚起（アラート）が必要か否かの判定の精度をより向上させることができる。
【００７２】
また、解析部は、上記した心電図データの解析に限らない。解析部は、多数の患者１０の中から注意するべき患者１０かどうかを判定するために、計測部による計測結果に基づいて、患者１０がレム睡眠状態であるかノンレム睡眠状態であるかを解析可能な各種の構成とすることができる。例えば、計測部として皮膚温（体温）センサを備える医療業務支援装置２０において、解析部は、体温センサから取得する計測結果（体温のデータ）に基づいて、体温が下がっているかどうか等の体温の変化を解析して、患者１０がレム睡眠状態、ノンレム睡眠のいずれなのかを判定する構成としてもよい。
【００７３】
＜変形例  医療業務支援装置２０Ａ＞
計測部として心電図センサ４０に代えて、呼吸センサ４１を備える医療業務支援装置２０Ａの例を、図４を用いて説明する。なお、図１〜３に示す医療業務支援装置２０と同様の構成については、図４において同一符号を付して説明を省略する。
【００７４】
医療業務支援装置２０Ａは、図４に示すように、呼吸センサ４１、解析部４５、加速度センサ５０、注意喚起部６０を有している。呼吸センサ４１は、一例として、患者１０の鼻孔の一方に装着されて、患者１０の呼吸数を計測するセンサである。呼吸センサ４１は、患者１０の呼吸数の計測結果を解析部４５に送信するように構成されている。解析部４５は、呼吸センサ４１から取得する計測結果（呼吸数のデータ等）に基づいて、呼吸が規則的かどうか、呼吸回数が少ないかどうか等の呼吸の変化を解析して、患者１０がレム睡眠状態、ノンレム睡眠のいずれなのかを判定するように構成されている。
【００７５】
なお、医療業務支援装置２０Ａを用いた医療業務支援方法の動作例は、図３において、心電図センサ４０による計測を呼吸センサ４１による計測に変更し、心電図データを呼吸数等の呼吸センサ４１の計測結果に変更する点を除いて、医療業務支援装置２０を用いた医療業務支援方法の動作例１〜動作例３と共通であるので、説明を省略する。
【００７６】
以上説明したように、呼吸センサ４１を備える医療業務支援装置２０Ａ及びこの医療業務支援装置２０Ａを用いる医療業務支援方法によれば、患者１０がレム睡眠状態であることを簡易な手法で判定することができる。かつ、患者１０の睡眠状態と患者が所定状態に動いているとの動きの判定とを組み合わせて、注意するべき患者を簡易に判定して、注意喚起部６０が注意喚起情報を発信することができるので、医療従事者１１は、多数の患者１０の中から、ベッドから転落の可能性がある等の注意するべき患者１０を特定することができる。そのため、注意をするべき患者１０に対して適切な応対を行うことができる。また、多数の患者を少数の医療従事者１１で受け持つ夜間において、医療従事者１１の業務負担を減らすことができる。
【００７７】
なお、上記実施形態では、患者がレム睡眠状態でかつ所定状態に動いたと判定された図３のS７の場合に、注意喚起情報を医療業務支援装置２０，２０Ａの外部に向けて発信する例示を説明したが、外部への発信は上記例示に限らない。例えば、図３のS８（注意）またはS１１（軽度の注意喚起）においても、判定結果である注意（S8）、軽度の注意喚起（S１１）に応じた情報を注意喚起部にて作成して外部に発信してもよい。
【００７８】
また、上記実施形態では、表示部７１に注意喚起情報を表示する例を説明したが、表示部７１の表示は上記に限らない。例えば、表示部７１は、軽度の注意喚起が必要であるとの情報及びこの軽度の注意喚起が必要な患者１０の患者識別番号を表示してもよく、注意が必要であるとの情報及びこの注意が必要な患者１０の患者識別番号を表示してもよい。医療従事者１１は、表示部７１に表示された軽度の注意喚起、注意及び患者識別番号を確認することができ、患者１０がベッドから転落等しないように適切に見守ることができる。
【００７９】
本開示は上述した実施形態や動作例に限定されず、適宜、変形、改良等が自在である。その他、上述した実施形態における各構成要素の材質、形状、形態、数、配置場所等は、本開示を達成できるものであれば任意であり、限定されない。
【符号の説明】
【００８０】
１  医療業務支援システム、  １０  患者、  １０Ａ  端末機器、  １１  医療従事者、  １１Ａ  端末機器、  １２  ベッドサイドモニタ、  ２０，２０Ａ  医療業務支援装置、  ３０緊急報知部、  ３１  心電図計（検知部の一例）、  ３２  通信部、  ３３  ナースコール、  ４０  心電図センサ（計測部の一例）、  ４１  呼吸センサ（計測部の一例）、  ４５  解析部、  ５０  加速度センサ（検出部の一例）、  ６０  注意喚起部、  ６１  判定部、  ６２  通信部、  ７０  表示機器、  ７１、７２、７３  表示部、  ８０  アクセスポイント、  ９０  タイマー
【図１】
2018198009.tif 000003
【図２】
2018198009.tif 000004
【図３】
2018198009.tif 000005
【図４】
2018198009.tif 000006